(57)【特許請求の範囲】
【請求項１】
吸気入口および吸気出口を有するケースと、このケースの内部を吸気入口側と吸気出口側とに区画するフィルタエレメントと、上記フィルタエレメントの吸気出口側の面に重ねて配置された合成樹脂製の消炎プレートと、を備え、
上記消炎プレートは、多数の連通口が開口形成されているとともに、上記連通口を覆う網状部を備えており、少なくとも上記吸気出口に対向する領域においては、上記連通口が筒状に構成され、この連通口の上記吸気出口側の端面に沿って上記網状部が設けられている、ことを特徴とする自動二輪車用エアクリーナ。
【請求項２】
上記消炎プレートの吸気出口から離れた一部の領域においては、上記連通口は、消炎プレート厚さ方向の寸法が小さな開口として構成されている、ことを特徴とする請求項１に記載の自動二輪車用エアクリーナ。
【請求項３】
上記連通口の各々は断面円形又は断面多角形をなしている、ことを特徴とする請求項１又は２に記載の自動二輪車用エアクリーナ。
【発明の詳細な説明】
【技術分野】
【０００１】
本発明は、自動二輪車に用いられるエアクリーナに関する。
【背景技術】
【０００２】
自動二輪車のエンジンでは、エンジンの点火時期の不整等に起因して吸気系にバックファイヤーが生じることがあり、このバックファイヤーにより、エンジン上流側に配置されたエアクリーナの濾材が焦げてしまうことがある。バックファイヤーから濾材を保護するために、特許文献１に記載されているように、濾材に重ねて消炎プレートを配置することが知られている。特許文献１の消炎プレートは、２枚の金属製メッシュ部材と、多数の連通口が開口形成された金属製の補強部材と、からなり、メッシュ部材の細隙による消炎効果及び伝熱による火炎の温度低下によって消炎し、濾材の焦げ付きを防止している。
【先行技術文献】
【特許文献】
【０００３】
【特許文献１】特開２０１３−１５５７２１号公報
【発明の概要】
【発明が解決しようとする課題】
【０００４】
しかし、特許文献１の消炎プレートは、厚さが薄く、かつメッシュ部材が濾材と非常に近接して配置されているため、火炎の伝播する速度が速く炎がメッシュ部材を突き抜けてしまうと、十分な消炎効果が得られない場合がある。また、金属製の消炎プレートによりエアクリーナの重量が増加するという問題があった。
【課題を解決するための手段】
【０００５】
本発明に係る自動二輪車用エアクリーナは、吸気入口および吸気出口を有するケースと、このケースの内部を吸気入口側と吸気出口側とに区画するフィルタエレメントと、フィルタエレメントの吸気出口側の面に重ねて配置された合成樹脂製の消炎プレートと、を備える。消炎プレートは、多数の連通口が開口形成されているとともに、連通口を覆う網状部を備えている。少なくとも吸気出口に対向する領域においては、連通口が筒状に構成され、この連通口の吸気出口側の端面に沿って網状部が設けられている。
【０００６】
このような構成によれば、少なくとも吸気出口に対向する領域では、各々の連通口において網状部とフィルタエレメント側の端面との間に消炎空間が形成され、網状部とフィルタエレメントとの距離が大きくなるため、炎はフィルタエレメントに達することなく消炎される。従って、合成樹脂製の消炎プレートであっても十分な消炎効果が得られる。
【０００７】
本発明の好ましい一態様では、消炎プレートの吸気出口から離れた一部の領域においては、連通口は消炎プレート厚さ方向の寸法が小さな開口として構成されている。
【０００８】
また、本発明の好ましい一態様では、連通口の各々は断面円形又は断面多角形をなしている。
【発明の効果】
【０００９】
本発明によれば、バックファイヤーによるフィルタエレメントの焦げ付きを効果的に防止することができる。また、本発明によれば、消炎プレートを合成樹脂製としたことでエアクリーナの軽量化を図ることができる。
【図面の簡単な説明】
【００１０】
【図１】本発明に係るエアクリーナの断面図。
【図２】第１実施例の消炎プレート及びフィルタエレメントの分解斜視図。
【図３】同じく消炎プレートの上面図。
【図４】同じく消炎プレート及びフィルタエレメントの断面図。
【図５】第２実施例の消炎プレートの斜視図。
【図６】同じく消炎プレートの断面図。
【図７】連通口の変更例を示す消炎プレートの上面図。
【図８】連通口の他の変更例を示す消炎プレートの上面図。
【発明を実施するための形態】
【００１１】
以下、図１〜図４を参照して、本発明に係る自動二輪車用のエアクリーナ１の第１実施例について詳細に説明する。図１は第１実施例のエアクリーナ１の断面図を示している。
【００１２】
エアクリーナ１は、合成樹脂製のケース本体２と、合成樹脂製のカバー３と、ケース本体２とカバー３との間に挟持されたフィルタエレメント４と、を備える。
【００１３】
ケース本体２は、上面に略三角形の開口を有し、この開口内にフィルタエレメント４が着脱可能に取り付けられている。ケース本体２の下面には図示しない後輪等との干渉を避けるための凹部２ａが設けられている。カバー３は、下面が開口した略三角形の外形状を有しており、フィルタエレメント４を覆うようにケース本体２に取り付けられている。フィルタエレメント４は、エアクリーナ１の内部空間を、カバー３側のダストサイド室５と、ケース本体２側のクリーンサイド室６と、に仕切っている。カバー３の側面となる一側壁に吸気入口７が開口形成されている。ケース本体２の長手方向の一端となる端部壁２ｂに、吸気通路の一部となるコネクティングチューブ８が取り付けられている。コネクティングチューブ８は、略逆Ｓ字状に屈曲しており、クリーンサイド室６内に突出した上流側端部がフィルタエレメント４の近傍において吸気出口９として開口し、ケース本体２の外方へ突出した下流側端部は図示しない吸気管に接続されている。
【００１４】
図２に示すように、フィルタエレメント４は、濾紙からなる濾材１０と、合成樹脂製のフレーム１２と、からなる。フレーム１２は、ケース本体２及びカバー３の開口面の形状に沿った略三角形状をなしており、かつ濾材１０を収容する長方形状の濾材収容部１４を有する。濾材収容部１４のクリーンサイド室６側の端縁に、一対の長辺壁１４ａから内側に突出した４つの支持片１５が設けられており、各々の支持片１５に円柱状の取付ピン１５ａ設けられている。濾材１０は、複数回折り返された状態で濾材収容部１４内に配置され、吸気出口９側の面１０ａが支持片１５の内側に入り込むことによって支持されてフレーム１２に取り付けられている。
【００１５】
本発明では、さらに、濾材１０の吸気出口９側（クリーンサイド室６側）の面１０ａ全体を覆うようにフィルタエレメント４に重ねて消炎プレート２０が配置されている。消炎プレート２０は、ポリプロピレン等の合成樹脂からなり、図３に示すように、長辺に沿った一対の長縁部２０ａ，２０ｂと、短辺に沿った一対の短縁部２０ｃ，２０ｄと、によって、濾材収容部１４の外縁に沿った長方形状に構成されている。この消炎プレート２０は、平板状のプレート部２１と、濾材１０に対応する領域に形成された多数の連通口２２と、プレート部２１の周囲に設けられた相対的に厚肉となった周縁部２３と、を備えている。各々の連通口２２は断面円形をなしている。また、周縁部２３には、長縁部２０ａ，２０ｂに沿って４つの取付孔２３ａが開口形成されている。消炎プレート２０は、これらの取付孔２３ａに挿入された取付ピン１５ａを加熱してかしめる（熱溶着する）ことにより、濾材収容部１４の外縁上に取り付けられている。なお、図２は溶着前の状態を示している。
【００１６】
図４に示すように、各々の連通口２２は、吸気出口９側の開口端２４と、フィルタエレメント４側の開口端２５と、が離れた筒状をなすように構成されている。換言すると、各々の連通口２２を構成する円筒壁部２２ａが、所定の高さに亘ってプレート部２１の吸気出口側の面２１ａから筒状に突出しており、これにより、各々の連通口２２は、消炎プレート２０の厚さ方向の寸法が大きな通路状の開口として構成されている。図示例では、各々の円筒壁部２２ａは隣接する円筒壁部２２ａと一体となっている。
【００１７】
さらに、各々の連通口２２の吸気出口９側の開口端２４に沿ってメッシュ状の網状部３０が一体に成形されている。この位置に網状部３０を備えることにより、各々の連通口２２において、網状部３０とフィルタエレメント４側の開口端２５との間に消炎空間３２が形成される。各々の連通口２２は、網状部３０と開口端２５との間に十分な消炎空間３２を確保し得るように円筒壁部２２ａの高さが設定されている。
【００１８】
図３に示すように、各々の網状部３０は、消炎プレート２０の長縁部２０ａ，２０ｂと平行に延びる複数の横線部３４と、短縁部２０ｃ，２０ｄと平行に延びる、つまり横線部３４と直交する複数の縦線部３５と、からなる。これらの横線部３４と縦線部３５とにより複数の網目が形成されている。横線部３４及び縦線部３５は、断面矩形状に成形され、かつ互いに同一の太さを有している。横線部３４及び縦線部３５の断面積は、通気抵抗を抑制しつつ十分な消炎効果を実現するために、０．３５ｍｍ程度の等価直径を有している。横線部３４と縦線部３５とは、成形時の合成樹脂の流動性を考慮して、異なる高さ位置でかつ互いに接するように形成されている（図４）。
【００１９】
上記の構成において、バックファイヤーが生じた場合、炎はエンジン側からコネクティングチューブ８を通ってクリーンサイド室６内に逆流して消炎プレート２０に達する。このとき、炎は各々の連通口２２に分散され、各々の網状部３０によって消炎される。仮に一部の炎が網状部３０によって消炎されずに、網状部３０を通過して連通口２２内に進入したとしても、各々の連通口２２の網状部３０とフィルタエレメント４側の開口端２５との間に消炎空間３２を有し、網状部３０から濾材１０が離れているため、炎は濾材１０に達することなく消炎する。従って、合成樹脂製の消炎プレート２０であっても十分な消炎効果を得られる。そして、消炎プレート２０を合成樹脂製としてことによりエアクリーナ１が軽量となる。
【００２０】
次に、図５，６を参照して、消炎プレート２０の第２の実施例について説明する。なお、上述した第１実施例と同一の構成要素には同一の符号を付し、重複する説明を省略する。
【００２１】
本実施例では、連通口として、円筒状の連通口２２と、消炎プレート厚さ方向の寸法が小さな開口として構成された第２連通口４２と、を備えている。
【００２２】
第２連通口４２は、プレート部２１に円形に開口形成されており、円筒壁部２２ａを具備していない。つまり、各々の第２連通口４２の消炎プレート厚さ方向の寸法はプレート部２１の板厚と実質的に同じである。また、図６に示すように、各々の第２連通口４２の開口に沿って網状部３０が一体に形成されている。
【００２３】
筒状の連通口２２は、バックファイヤーの影響を受けやすい吸気出口９に対向する領域となる消炎プレート２０の長さの２／３程度の領域に配設されている。一方、第２連通口４２は、バックファイヤーの影響を受けにくい、消炎プレート２０の吸気出口９から離れた領域である消炎プレート２０の長さの１／３程度の領域に配設されている。
【００２４】
このように、吸気出口９に対向する領域だけに筒状の連通口２２を配置することにより、消炎プレート２０が不必要に厚肉にならず、エアクリーナ１を小型化することができる。
【００２５】
以上、この発明の一実施例を説明したが、本発明は上記実施例に限られず、種々の変更が可能である。
【００２６】
上記の実施例では、連通口２２，４２は断面円形をなしているが、これに限定されず、例えば図７，８に示すように、他の断面形状を有していてもよい。
【００２７】
図７に示す変更例では、各々の連通口５２は断面六角形をなしている。各々の連通口５２は、対向する一対の辺が消炎プレート２０の長縁部２０ａ，２０ｂと平行をなすように消炎プレート２０に配設されている。
【００２８】
また、図８に示す変更例では、各々の連通口６２は断面三角形をなしている。この連通口６２は、底辺が消炎プレート２０の短縁部２０ｃ，２０ｄと平行をなすように消炎プレート２０に配設されており、頂点が短縁部２０ｄに向いた連通口６２ａと、頂点が短縁部２０ｃに向いた連通口６２ｂと、が交互に配設されている。
【００２９】
図７，８に示した例では、筒状の連通口５２，６２をプレート部２１の全面に配置しているが、吸気出口９から離れた領域である短縁部２０ｃ側においては、連通口５２，６２を消炎プレート厚さ方向の寸法が小さな開口として構成してもよい。
【符号の説明】
【００３０】
１  エアクリーナ
４  フィルタエレメント
１０  濾材
２０  消炎プレート
２２  連通口
３０  網状部
【図１】
0006663288.tif 000002
【図２】
0006663288.tif 000003
【図３】
0006663288.tif 000004
【図４】
0006663288.tif 000005
【図５】
0006663288.tif 000006
【図６】
0006663288.tif 000007
【図７】
0006663288.tif 000008
【図８】
0006663288.tif 000009